(57)【要約】【課題】種類の異なるパネルを容易に組み込むことができ、支柱が外側から見えず、安全性を向上させたベランダ用手摺りを提供する。【課題を解決するための手段】  本発明によるベランダ用手摺りは、柱の前面に上下方向に伸びる凹部を設けた複数の支柱と、前記支柱の前方下部に取り付けたレールと、左右の外枠に設けられた連結部を前記凹部に、下枠を前記レールにはめ込んで、前記支柱の前面側に取り付ける矩形状のパネルと、前記支柱の上端と前記パネルの上枠を挟み込んで固定する長尺なキャップと、前記支柱の下部に設けられ、前記支柱間とベランダの上面縁端を覆うフットカバーと、を備える。【選択図】図３
2008280762.tif 000002
【特許請求の範囲】
【請求項１】
柱の前面に上下方向に伸びる凹部を設けた複数の支柱と、
前記支柱の前方下部に取り付けたレールと、
左右の外枠に設けられた連結部を前記凹部に、下枠を前記レールにはめ込んで、前記支柱の前面側に取り付ける矩形状のパネルと、
前記支柱の上端と前記パネルの上枠を挟み込んで固定する長尺なキャップと、
前記支柱の下部に設けられ、前記支柱間とベランダの上面縁端を覆うフットカバーと、を備えることを特徴とするベランダ用手摺り。
【請求項２】
前記支柱をベランダ先端の垂直面に取り付ける場合、前記支柱間の底部を覆う樋形のボトムカバーが設けられることを特徴とする請求項１に記載のベランダ用手摺り。
【発明の詳細な説明】
【技術分野】
【０００１】
本発明は、ベランダ用手摺りに関する。
【背景技術】
【０００２】
一般に、集合住宅のベランダ用手摺りには縦格子が設けられる。しかし、縦格子は通風性と採光性には優れるが目隠し効果は期待できない。目隠し効果があり通風性にも優れるものとして、ドアや窓等に用いられるガラリがある。ガラリの羽板の形状には、板状のものやルーバ（ｌｏｕｖｅｒ）と呼ばれる山形のものがある。板状のものは傾斜させた方向によっては内部が見え、ルーバはどの方向からも内部は見えない。ガラリは樹脂や金属であるから採光性は悪い。また、曇りガラス（すりガラス）は、採光性と目隠し効果には優れるが通風性に欠ける。従来のベランダ用手摺りにおいては、パネルは１種類に制限され、機能的に異なる複数のパネルを簡単に配置できる構造ではなかった。
【０００３】
従来のベランダ用手摺りは、ベランダ上面の縁端に手摺りを立設する場合と、ベランダ先端の垂直面に立設する場合があった。また、パネルは支柱側面と同じ並びまたは後面（室内側）に取り付けられていた。そのため、パネルを支柱の前面側に取り付けて、わずかではあるがベランダの面積を広くしたいという要望に応えることができなかった。また、ベランダ先端の垂直面に露出した支柱を覆い隠す追加工事が必要となる場合もあった。つまり窓やドアと同じように、支柱を外側に見せないようにするとの顧客要望に応えることができなかった。
【０００４】
従来のベランダ用手摺りは、支柱の足回りの遮蔽構造が不十分で、隙間に物が入って取れなくなる場合や階下へ落下する場合があり、また、ベランダへの取り付け金具や六角ボルトが露出して安全性に欠けるものであった。
【特許文献１】特開２００６−１５２７０５号公報
【発明の開示】
【発明が解決しようとする課題】
【０００５】
本発明の目的は、種類の異なるパネルを容易に組み込むことができ、支柱が外側から見えず、安全性を向上させたベランダ用手摺りを提供することにある。
【課題を解決するための手段】
【０００６】
上記の目的を達成するため、本発明による請求項１記載のベランダ用手摺りは、  柱の前面に上下方向に伸びる凹部を設けた複数の支柱と、前記支柱の前方下部に取り付けたレールと、左右の外枠に設けられた連結部を前記凹部に、下枠を前記レールにはめ込んで、前記支柱の前面側に取り付ける矩形状のパネルと、前記支柱の上端と前記パネルの上枠を挟み込んで固定する長尺なキャップと、前記支柱の下部に設けられ、前記支柱間とベランダの上面縁端を覆うフットカバーと、を備えることを特徴とする。
【０００７】
請求項２によれば、前記支柱をベランダ先端の垂直面に取り付ける場合、前記支柱間の底部を覆う樋形のボトムカバーが設けられることが好ましい。
【発明の効果】
【０００８】
本発明による請求項１のベランダ用手摺りによれば、下端がレールの、左右端の連結部が支柱の前面凹部にはめ込まれ、上端がキャップで挟み込まれるパネルを採用したので、異なる種類のパネルであっても、簡単でかつ堅固に取り付けることができる。また、このパネルは支柱の前面（支柱の室内側とは反対側の面）に取り付けられるので、ベランダの面積及び空間を広く活用することができる。さらに、このパネルが支柱の前面に取り付けると、支柱が外側から見えないようにできる。フットカバーは、例えば、手摺りをベランダ先端の垂直面に取り付けた場合、支柱間の隙間を塞ぐので、安全性を向上させることができる。
【０００９】
請求項２によれば、支柱間の下部を覆うボトムカバーを設けたので、支柱がベランダ先端の垂直面に取り付けられる場合、樋のように機能させ支柱間の隙間から雨水やごみなどが階下に落下しないようにできる。
【発明を実施するための最良の形態】
【００１０】
以下、図面を参照して本発明によるベランダ用手摺りについて説明する。
【実施例１】
【００１１】
図１は本発明によるベランダ用手摺りの正面図である。図１（ｃ）が正面図である。図１（ａ）は（ｃ）のＡ−Ａ断面図で、図１（ｂ）は（ｃ）のＢ−Ｂ断面図である。図１（ｃ）に示すように、ベランダ用手摺り１００は、一例としてガラリ型パネル３を中央に２枚配置し、その両側に曇りガラス型パネル２を配置した。パネルは矩形状で、ガラリ型パネル３や曇りガラス型パネル２のほかに格子型パネル（図示せず）がある。図１（ｃ）で左右にスペースがあるなら曇りガラス型パネル２のさらに両側に格子型パネルを設け、３種類のパネルを組み込んでもよい。パネルは、ガラスを色付きとすることもできるし、ルーバの羽板を縦に配置することや、格子型パネルの縦格子を横格子とするなどその種類を増やすこともできる。図１（ｃ）は、ベランダ用手摺り１００をベランダ１の先端の垂直面に設置したが、これをベランダ１の上面に設置してもよい。ベランダ用手摺り１００の寸法は、高さが１３００ｍｍ、曇りガラスパネル２の横幅は８５０ｍｍ、ガラリパネル３の横幅は８２０ｍｍとした。ただし、これに限られるものではない。横幅を統一してもよい。なお、ベランダ１のコンクリート厚みは２４５ｍｍとした。
【００１２】
パネルは上下左右の外枠を有する。図１（ｃ）に示すように、パネルの上枠は、長尺なキャップ６（傘木とも呼ぶ）の溝に挟まれ、パネルの下枠はレール４（受枠）のにはめ込まれる。パネルの左枠と右枠は正面から見え、左枠と右枠の間には支柱が配置されるが、支柱は正面からはほとんど見えない。図１（ａ）は図１（ｃ）のＡ−Ａ断面図である。ガラリ型パネル３や曇りガラス型パネル２は、ここでは５本の支柱５の前面に配置される。支柱５はベランダ１の先端の垂直面に取り付けられるので、垂直面とパネルの間（２つの支柱５の間）には隙間があるが、ベランダ１の上面の位置でフットカバー７によって塞がれている。図１（ｂ）は、図１（ｃ）のＢ−Ｂ断面図である。支柱５はボルトでベランダ１の垂直面に固定される。図１（ｂ）に示すように、支柱５の底部はボトムカバー１１によっても塞がれている。
【００１３】
図２は、図１（ｃ）のＣ−Ｃ断面図である。ベランダ用手摺り１００は、ベランダ１の先端の垂直面に取り付けられ、ここでは矢印で示す後方側に室内がある。キャップ６は、前方の内側下部の溝１３ａに曇りガラス型パネル２の上枠１８ａを挟み込み、後方の内側下部の溝１３ｂに支柱５の上端１９を挟み込んでいる。固定板１５がキャップ６の支柱５の部分に取り付けられており、支柱５の左右側面からネジを通すことで、キャップ６が支柱５に固定される。曇りガラス型パネル２は、２枚のガラス板１６が外枠１８で窓形に形成され、底部の枠はレール４の溝にはめ込まれる。レール４は、ボルト１０で支柱５の前面下部に取り付けられる。支柱５のベランダ１の上面の位置にフットカバー７が設けられる。フットカバー７には固定板１５があり、支柱５の左右側面からネジを通すことで、フットカバー７が支柱５に固定される。支柱５の下部には、Ｌ型金具８がボルト１０で取り付けられ、同様にＬ型金具８はベランダ１の垂直面に打ち込み固定のアンカーボルト９で固定される。アンカーボルト９の打ち込みにはインサートを使用する。固定ビス２０は締め付け後のずれ防止する。
【００１４】
図３は、図１（ｃ）のＤ−Ｄ断面図である。キャップ６は、前方の内側下部の溝１３ａにガラリ型パネル３の上枠１８ａを挟み込み、後方の内側下部の溝１３ｂに支柱５の上端１９を挟み込んでいる。キャップ６は、固定板１５が支柱５に差し込まれて、支柱５の左右側面からネジで支柱５に固定される。ガラリ型パネル３は、山形の羽板（ルーバ）１２を横に並べたもので、外側から内側は見えないが、矢印のように風の流路は確保される。ガラリ型パネル３底部の枠はレール４にはめ込まれる。レール４はボルト１０で支柱５の前面下部に設けられる。フットカバー７は支柱５の下部で、ベランダ１の上面の位置に設けられる。フットカバー７は、支柱５間でパネルとベランダ１との隙間に小物を落して取れなくなることを防止できる。支柱５の下部は、Ｌ型金具８をかぶせてベランダ１の垂直面に打ち込み固定のアンカーボルト９で取り付けられる。
【００１５】
図４は、図１（ｂ）のＣ１部の拡大図である。支柱５は中空の角型で、前面に２つのかぎ形の凹部１７が設けられる。ここに、曇りガラス型パネル２、ガラリ型パネル３の左右枠に形成された凸型の連結部１４をはめ込む。支柱５は、Ｌ型金具８でベランダ１に打ち込み固定のアンカーボルト９で取り付けられる。
【００１６】
図５は、図１（ｂ）のＣ２部の拡大図である。ベランダ用手摺り１００の左端の支柱５は、前面に２つの凹部１７が設けられるが、左側の凹部１７は支柱５の左側面を向いて設けられる。同様に、ベランダ用手摺り１００の右端の支柱５は、前面に２つの凹部１７が設けられるが、右側の凹部１７は支柱５の右側面を向いて設けられる。つまり支柱５を正面に見せないように配慮している。
【００１７】
図６は、図１（ｃ）の支柱下部側面の構造図である。Ｌ型金具８には長孔（斜線で示す）があり、ここに打ち込み固定のアンカーボルト９および固定ボルト１０で固定される。レール４の底部にも孔（斜線で示す）があり、雨水を逃がすようになっている。同様に、ボトムカバー１１は樋のように溝形に形成され、左右端には雨水を逃がす孔（斜線で示す）が設けられている。固定ビス２０はボルト締め付け後のずれを防止する。
【００１８】
ベランダ用手摺り１００は、ベランダ１の上面縁端に設置することもできる。その場合、打ち込み固定のアンカーボルト９は、例えば、支柱５下部の左右に設けられたようなＬ型金具で取り付けることができ、フットカバー７は、支柱５間とベランダ１の上面縁端を覆うので、支柱５底部の金具やボルトが見えないようにできる。
【産業上の利用可能性】
【００１９】
本発明のベランダ用手摺りは、アパートやマンションなどの手摺りとして好適である。
【図面の簡単な説明】
【００２０】
【図１】本発明によるベランダ用手摺りの正面図である。（ａ）は（ｃ）のＡ−Ａ断面図、（ｂ）は（ｃ）のＢ−Ｂ断面図、（ｃ）が正面図である。（実施例１）
【図２】図１（ｃ）のＣ―Ｃ断面図である。
【図３】図１（ｃ）のＤ−Ｄ断面図である。
【図４】図１（ｂ）のＣ１部の拡大図である。
【図５】図１（ｂ）のＣ２部の拡大図である。
【図６】図１（ｃ）の支柱下部側面の構造図である。
【符号の説明】
【００２１】
１    ベランダ
２    曇りガラス型パネル
３    ガラリ型パネル
４    レール
５    支柱
６    キャップ
７    フットカバー
８    Ｌ型金具
９    アンカーボルト
１０    固定ボルト
１１    ボトムカバー
１２    山形の羽板（ルーバ）
１３ａ、１３ｂ    溝
１４    連結部
１５    固定板
１６    ガラス板
１７    凹部
１８    外枠
１８ａ    上枠
１９    上端
２０    ビス
１００    ベランダ用手摺り
【図１】
2008280762.tif 000003
【図２】
2008280762.tif 000004
【図３】
2008280762.tif 000005
【図４】
2008280762.tif 000006
【図５】
2008280762.tif 000007
【図６】
2008280762.tif 000008